(57)【要約】【課題】来訪者の認証に際し煩雑な動作を不要としつつ監視員の負担を軽減させる。【解決手段】来訪者認証システム１において、発信装置１００の電界送信部１０３により予め記憶しておいた来訪者の第１生体情報に基づく電界を来訪者の人体に誘起させる一方で電界受信部２０２により人体に誘起された電界を検出して第１生体情報を受信する。これにより、発信装置１００を保持した来訪者がゲート正面に設置されたシート２０１上に立つだけで生体情報が自動的に伝送されるので、来訪者は認証に際し発信装置１００を取り出して操作する必要がない。また、第１モニタ２１２により受信した第１生体情報を表示し、監視カメラ２１０により撮影した第２生体情報を第２モニタ２１３により表示することで、目視により第１及び第２生体情報が照合可能となるので監視員による判定が容易になる。【選択図】図１
2009011668.tif 000002
【特許請求の範囲】
【請求項１】
発信装置を保持した来訪者の生体情報に基づいて監視員により来訪者を認証するための来訪者認証システムであって、
前記発信装置は、
来訪者の第１の生体情報を予め記憶しておく記憶手段と、
前記記憶手段から前記第１の生体情報を読み出すとともに当該第１の生体情報に基づく電界を電界伝達媒体である前記来訪者の人体に誘起させる電界送信手段とを備え、
前記来訪者の人体に誘起された電界を検出して前記第１の生体情報を受信する電界受信手段と、
前記電界受信手段が受信した第１の生体情報を表示する第１の表示手段と、
前記第１の生体情報と照合可能な来訪者の第２の生体情報を取得する生体情報取得手段と、
前記生体情報取得手段が取得した第２の生体情報を表示する第２の表示手段と
を備えることを特徴とする来訪者認証システム。
【請求項２】
前記電界受信手段が受信した第１の生体情報と前記生体情報取得手段が取得した第２の生体情報とを照合して一致するか否かを判定する照合手段と、
前記照合手段が一致しないと判定した場合にはアラームを発生するアラーム発生手段と
を更に備えることを特徴とする請求項１に記載の来訪者認証システム。
【請求項３】
前記第１及び第２の生体情報は来訪者の顔の画像に関する情報であって、
前記生体情報取得手段は前記来訪者の顔の画像を撮像可能な監視カメラであることを特徴とする請求項１又は請求項２に記載の来訪者認証システム。
【発明の詳細な説明】
【技術分野】
【０００１】
本発明は、来訪者などの不特定者を認証するための技術に関し、特に来訪者の生体情報に基づいて監視員により来訪者を認証するための技術に関する。
【背景技術】
【０００２】
従来、来訪者などの不特定者を認証するための技術として、例えば訪問者は写真入り身分証明書を監視員に提示し、入出を管理する監視員は身分証明書の顔写真と訪問者の実顔とを比較し本人か否かを判定する方法がある。近年では、ＩＣカードを利用してカードの所持者の出入を管理する技術が開示されており（例えば、特許文献１参照）、最近では指紋などの生体情報に基づいて本人か否かを自動的に照合する技術も実用化されている。
【特許文献１】特開２００５−３０１８６号公報
【発明の開示】
【発明が解決しようとする課題】
【０００３】
しかしながら、従来の技術では、認証に際し来訪者が身分証又はＩＣカードを取り出して提示するなどの動作が煩雑であるという問題があった。一方で、生体情報を利用した自動照合技術は１００％の認識率で完全に照合できるものではないため、監視員などの人手を介さずに不特定者を判定するのは困難であるという問題があった。
【０００４】
本発明は、上記問題点に鑑み、来訪者の認証に際し煩雑な動作を不要としつつ監視員の負担を軽減させることを課題とする。
【課題を解決するための手段】
【０００５】
本発明に係る来訪者認証システムは、発信装置を保持した来訪者の生体情報に基づいて監視員により来訪者を認証するための来訪者認証システムであって、上記発信装置は、来訪者の第１の生体情報を予め記憶しておく記憶手段と、記憶手段から第１の生体情報を読み出すとともにその第１の生体情報に基づく電界を電界伝達媒体である来訪者の人体に誘起させる電界送信手段とを備え、来訪者の人体に誘起された電界を検出して第１の生体情報を受信する電界受信手段と、電界受信手段が受信した第１の生体情報を表示する第１の表示手段と、第１の生体情報と照合可能な来訪者の第２の生体情報を取得する生体情報取得手段と、生体情報取得手段が取得した第２の生体情報を表示する第２の表示手段とを備えることを特徴とする。
【０００６】
尚、本発明における電界伝達媒体とは、電界を伝達可能な媒体を指し、例えば誘電体、金属などの導電性の高い部材、生体、絶縁体などが含まれる。
【０００７】
本発明にあっては、発信装置の電界送信手段により予め記憶しておいた来訪者の第１の生体情報に基づく電界を電界伝達媒体である来訪者の人体に誘起させる一方で電界受信手段により人体に誘起された電界を検出して第１の生体情報を受信する。これにより、発信装置を保持した来訪者が所定の場所に立つ又は手で触れるだけで生体情報が自動的に伝送されるので、来訪者は認証に際し発信装置を取り出して操作する必要がない。また、第１の表示手段により受信した第１の生体情報を表示する一方で、生体情報取得手段により取得した第１の生体情報と照合可能な来訪者の第２の生体情報を第２の表示手段により表示することで、目視により第１及び第２の生体情報が照合可能となり監視員による判定が容易になる。
【０００８】
上記来訪者認証システムは、電界受信手段が受信した第１の生体情報と生体情報取得手段が取得した第２の生体情報とを照合して一致するか否かを判定する照合手段と、照合手段が一致しないと判定した場合にはアラームを発生するアラーム発生手段とを更に備えることを特徴とする。
【０００９】
本発明にあっては、照合手段により電界受信手段が受信した第１の生体情報と生体情報取得手段が取得した第２の生体情報とを照合して一致するか否かを判定し、アラーム発生手段により照合手段が一致しないと判定した場合にはアラームを発生することで、アラームが発生したときだけ目視による照合を行えばよいので監視員の負担を軽減することができる。
【００１０】
上記第１及び第２の生体情報は来訪者の顔の画像に関する情報であって、生体情報取得手段は来訪者の顔の画像を撮像可能な監視カメラであることを特徴とする。
【発明の効果】
【００１１】
本発明によれば、来訪者の認証に際し煩雑な動作を不要としつつ監視員の負担を軽減させることができる。
【発明を実施するための最良の形態】
【００１２】
以下、本発明の一実施の形態について、図面を用いて説明する。
【００１３】
［第１の実施の形態］
図１は、第１の実施の形態に係る来訪者認証システムの構成を示している。ここでは事務所、工場、倉庫などの入館管理において本システムを適用した場合を示している。同図に示すように、来訪者認証システム１は、来訪者の生体情報を発信する携帯型の発信装置１００と、来訪者の人体を介して第１の生体情報を検出するためにゲート正面の床に設置されたシート２０１と、検出した信号をコンピュータに出力する設置型の電界受信部２０２と、第２の生体情報としての来訪者の顔画像を撮影するためにゲート上部に設置された監視カメラ２１０とを備え、監視カメラ２１０及び電界受信部２０２から出力された情報を受信可能且つゲートの開閉を制御可能なコンピュータ２１１、電界受信部２０２が受信した顔画像を表示する第１モニタ２１２、及び監視カメラ２１０が撮影した画像を表示する第２モニタ２１３を監視員室に備える。
【００１４】
ここでコンピュータ２１１には例えば出力装置、入力装置、制御装置、演算装置、記憶装置などの要素を備えたパーソナルコンピュータ（ＰＣ）を使用する。ＰＣの出力装置としての第１モニタ２１２及び第２モニタ２１３は監視員が画像を見比べ易くするために並べて配置される。監視員は目視による判定の結果に応じてＰＣの入力装置を操作してゲートの開閉を行う。このような構成の来訪者認証システム１において、発信装置１００を保持した来訪者の生体情報に基づいて、監視員による来訪者の認証を行う。
【００１５】
次に、発信装置１００の構成について図２を用いて説明する。同図に示すように、発信装置１００は、生体情報記憶部１０２と、電界送信部１０３と、送信電極１０４と、誘電体膜１０５と、生体情報入力部１０１とを備える。尚、図示しないが、発信装置１００は上記各部を駆動させるための電池などのバッテリを備え、来訪者により携帯可能とする。
【００１６】
生体情報記憶部１０２は来訪者の第１の生体情報を予め記憶しておく。ここでは第１の生体情報としての来訪者の顔画像に関する情報を予め記憶しておく。生体情報入力部１０１は入力端子から入力された生体情報を生体情報記憶部１０２に書き込む。生体情報の書込みは本システムを管理・運用する組織を責任主体とした管理の下で、発信装置１００を保有することが許可された使用者の生体情報が書き込まれる。登録後、発信装置１００は使用者に配布される。
【００１７】
電界送信部１０３は、生体情報記憶部１０２から第１の生体情報を読み出すとともに、この情報を含んだ送信データを送信電極１０４に供給し、送信電極１０４を介して来訪者の人体に送信データに基づく電界を誘起させ、この電界を伝達させる。送信電極１０４は電流が利用者の体内に流れるのを防止するために絶縁性の誘電体膜１０５で表面が覆われている。
【００１８】
このようにして発信装置１００は、電界を電界伝達媒体に誘起し、この誘起した電界を用いて第１生体情報の送信を行う。ここで電界伝達媒体とは、電界を伝達可能な媒体を指し、例えば誘電体、金属などの導電性の高い部材、生体、絶縁体などが含まれる。
【００１９】
次に、電界受信部２０２の構成について図３を用いて説明する。同図に示すように、電界受信部２０２は、ゲート正面の床に埋め込む、或いは床の上に敷くことにより設置されたシート２０１と、受信電極２０３と、受信回路２０４と、Ｉ／Ｏ回路とを備える。このような構成により、シート２０１を介して来訪者の人体に誘起されてくる電界を、受信電極２０３で検出し、この電界を受信回路２０４の電界検出部２０６で検出して電気信号に変換する。そして、この電気信号は、信号処理回路２０７で増幅、雑音除去などの信号処理を施され、入出力（Ｉ／Ｏ）回路２０５を介して監視員室のコンピュータ２１１に出力される。受信電極２０３には例えば導電性の金属が使用される。シート２０１の材料には例えば電流が受信電極２０３から来訪者の体内に流れるのを防止するために絶縁性の誘電体が使用される。
【００２０】
このようにして電界受信部２０２は電界伝達媒体に誘起された電界を検出して発信装置１００から送信された第１生体情報を受信する。
【００２１】
尚、上記のように、発信装置１００と電界受信部２０２との間において、送信すべき情報に基づく電界を電界伝達媒体に誘起させると共に誘起された電界を検出して情報の送受信を行う通信技術は、例えば特開２００１−３５２２９８号公報及び特開２００６−８１１１１号公報に記載の技術に基づいて実現可能である。
【００２２】
次に、来訪者認証システム１における来訪者の認証処理について図１も参照しながら具体的に説明する。認証処理に先立って、使用者は自身の生体情報が書き込まれた発信装置１００を保持して、本システムが適用された建物に訪問する。
【００２３】
ステップ１：図１に示すように、来訪者がゲート正面の床に立つと、発信装置１００の電界送信部１０３により予め記憶しておいた来訪者の第１生体情報に基づく電界が来訪者の人体に誘起され、電界受信部２０２により人体に誘起された電界が検出され第１生体情報が受信される。
【００２４】
ステップ２：電界受信部２０２により受信された第１生体情報としての顔画像が監視員室の第１モニタ２１２に表示される。
【００２５】
ステップ３：一方で、ゲート上部に設置された監視カメラ２１０により第２生体情報が撮影される。ここで第２生体情報は第１生体情報と照合可能な来訪者の顔画像が撮影される。
【００２６】
ステップ４：監視カメラ２１０により撮影された顔画像が監視員室の第２モニタ２１３に表示される。
【００２７】
ステップ５：監視員は第１モニタ２１２及び第２モニタ２１３に表示された画像を照合する。監視員室の監視員は来訪者が訪れたことを知らせるチャイムなどにより照合を開始する。ここでは両モニタが並べて配置されているので目視による第１及び第２生体情報の照合・判定が容易になる。監視員が一致していると判断した場合には、監視員はコンピュータ２１１を操作してゲートを開き、来訪者は入館できる。監視員が不一致と判断した場合にはゲートを閉じたままにする、若しくは監視員は来訪者に対して適宜対応する。具体的な対応としては、例えば、発信装置１００に顔画像だけでなく、顔画像の氏名、所属などの属性を含んだ生体情報を書き込んでおき第１モニタ２１２に顔画像と共にこれらの属性情報を表示する。更に、監視員と来訪者とがインターホンを通じて対話可能とし監視員が来訪者の氏名などを確認して名前を呼んで対応するような構成としてもよい。
【００２８】
したがって、第１の実施の形態によれば、来訪者認証システム１において、発信装置１００の電界送信部１０３により予め記憶しておいた来訪者の第１生体情報に基づく電界を来訪者の人体に誘起させる一方で電界受信部２０２により人体に誘起された電界を検出して第１生体情報を受信する。これにより、発信装置１００を保持した来訪者がゲート正面に設置されたシート２０１上に立つだけで生体情報が自動的に伝送されるので、来訪者は認証に際し発信装置１００を取り出して操作する必要がない。また、第１モニタ２１２により受信した第１生体情報を表示し、監視カメラ２１０により撮影した第２生体情報を第２モニタ２１３により表示することで、目視により第１及び第２生体情報が照合可能となるので監視員による判定が容易になる。以って、来訪者の認証に際し煩雑な動作を不要としつつ監視員の負担を軽減させることができる。
【００２９】
［第２の実施の形態］
以下、第２の実施の形態について説明する。本実施の形態に係る来訪者認証システムの構成は、第１の実施の形態で説明したものと基本的な構成は同様である。以下では、第１の実施の形態と異なる点を中心に説明する。
【００３０】
第１の実施の形態と異なる点は、図４の構成図に示すように、来訪者認証システム１０が、電界受信部２０２が受信した第１生体情報と監視カメラ２１０が撮影した第２生体情報とを照合して一致するか否かを判定する照合手段をコンピュータ２１１内部に備え、照合手段が一致しないと判定した場合にはアラームを発生するアラーム発生手段としてのスピーカ２１４を更に備える点である。尚、生体情報は第１の実施の形態と同様に来訪者の顔画像を使用する。
【００３１】
具体的には、コンピュータ２１１（ＰＣ）において、発信装置１００に予め記憶された第１生体情報としての顔画像と監視カメラ２１０で撮影された第２生体情報としての来訪者の顔画像が一致するか否かを判定する処理が実行される。この判定処理において不一致と判定された場合にはアラームを発生させるための信号がＰＣからスピーカ２１４に送信され、スピーカ２１４からのアラームにより判定で不一致があったことが監視員に報知される。ここでコンピュータにより生体情報を自動的に照合する技術は、各々の生体情報に対応して種々の照合技術が開発されており、それらを利用して実現することができる。生体情報の認識率については、いずれの生体情報についても、その照合技術の性能には限界があり、不特定多数の全ての人に対して１００％の認識率が得られるものはないが、大多数の人には対応可能である。
【００３２】
そこで、最初にコンピュータにより生体情報照合による判定を行い、不一致と判定された場合に監視員が判定する。すなわち、監視員はアラームが発生したときだけ第１モニタ２１２および第２モニタ２１３それぞれに表示された画像を目視により照合し、一致と判断した場合にゲートを開き来訪者を入館させる。第１の実施の形態では、監視員により生体情報を照合するようにしていたが（ステップ５）、本実施の形態では、最初にコンピュータにより判定が実行されるので、第１の実施の形態と比べて監視員の負担を更に軽減することができる。
【００３３】
したがって、第２の実施の形態によれば、コンピュータ２１１により電界受信部２０２が受信した第１生体情報と監視カメラ２１０が撮影した第２生体情報とを照合して一致するか否かを判定し、コンピュータ２１１で一致しないと判定した場合にスピーカ２１４によりアラームを発生する。これにより、アラームが発生したときだけ目視による照合を行えばよいので、第１の実施の形態に係る効果に加えて、監視員の負担を軽減することができる。
【００３４】
尚、上記各実施の形態においては、生体情報は来訪者の顔の画像に関する情報とし、生体情報取得手段は来訪者の顔の画像を撮像可能な監視カメラとしたが、これに限られるものではなく、生体情報として来訪者の指紋、静脈、掌形等の情報を使用し、生体情報取得手段としてこれらの情報を取得可能な種々の読取装置を利用してもよい。
【００３５】
また、上記各実施の形態においては、来訪者の人体に誘起されてきた電界を電界受信部２０２に伝達するためのシート２０１はゲート正面の床に設置して、シート上の来訪者の生体情報を受信するような構成としたが、これに限られるものではなく、例えば、来訪者が手で触れることが可能な場所に設置する構成としてもよい。
【００３６】
更に、上記各実施の形態においては、入館管理において本システムを適用した場合について説明したが、これに限られるものではなく、例えば市役所などでの公的な手続き、郵便局窓口での親展郵便物の受け取り、図書館での貸し出しなどにおいて本システムを適用して認証を行うような構成にしてもよい、いずれの場合においても本システムを適用することで、より確実に本人か否かの認証を行った上での種々のサービス提供が可能となると共にサービスに関わる人の負担を軽減することができる。
【図面の簡単な説明】
【００３７】
【図１】第１の実施の形態に係る来訪者認証システムの構成を示す概略図である。
【図２】図１の来訪者認証システムにおける発信装置の構成を示す概略図である。
【図３】図１の来訪者認証システムにおける電界受信部の構成を示す概略図である。
【図４】第２の実施の形態に係る来訪者認証システムの構成を示す概略図である。
【符号の説明】
【００３８】
１，１０…来訪者認証システム
１００…発信装置（携帯型）
１０１…生体情報入力部
１０２…生体情報記憶部
１０３…電界送信部
１０４…送信電極
１０５…誘電体膜
２０１…誘電体シート
２０２…電界受信部（設置型）
２０３…受信電極
２０４…受信回路
２０５…Ｉ／Ｏ回路
２０６…電界検出部
２０７…信号処理回路
２１０…監視カメラ
２１１…コンピュータ（ＰＣ）
２１２…第１モニタ
２１３…第２モニタ
２１４…スピーカ
【図１】
2009011668.tif 000003
【図２】
2009011668.tif 000004
【図３】
2009011668.tif 000005
【図４】
2009011668.tif 000006